(57)【要約】    【課題】    内蔵ストロボ用のメインコンデンサの信頼性を向上させた撮像装置を提供する。    【解決手段】    被写体の光学像を電気信号に変換する撮像素子３３を備えた撮像ユニット４００と、メインミラーを収納して撮像素子取付け部５１１ａにより撮像ユニット４００に取り付けられたミラーボックス５１１と、ミラーボックス５１１に固定され、レンズの着脱が可能なマウント部５０８と、電源基板８１０に実装され、ストロボ装置を発光させるために用いられるメインコンデンサ８１１とを有し、メインコンデンサ８１１は、撮像素子取付け部５１１ａとマウント部５０８との間に配置され、メインコンデンサ８１１の２対の端子部８１１ａ、８１１ｂは、電源基板８１０に実装され、２対の端子部８１１ａ、８１１ｂの少なくとも一つは、マウント部５０８における突出部５０８ａの背後に配置されている。【選択図】図８
2009175313.tif 000002
【特許請求の範囲】
【請求項１】
被写体の光学像を電気信号に変換する撮像素子を備えた撮像ユニットと、
メインミラーを収納し、撮像素子取付け部により前記撮像ユニットに取り付けられたミラーボックスと、
前記ミラーボックスに固定され、レンズの着脱が可能なマウント部と、
ストロボ基板に実装され、ストロボ装置を発光させるために用いられるメインコンデンサと、を有し、
前記メインコンデンサは、前記撮像素子取付け部と前記マウント部との間に配置され、
前記メインコンデンサの２対の端子部は、前記ストロボ基板に実装され、
前記２対の端子部の少なくとも一つは、前記マウント部における突出部の背後に配置されていることを特徴とする撮像装置。
【請求項２】
前記コンデンサは、前記ミラーボックスと電池を収納するための電池室との間に配置されていることを特徴とする請求項１記載の撮像装置。  
【請求項３】
前記ストロボ基板は、前記電池に接続される電池端子及び電源回路を有し、前記マウント部の近傍における前記電池室の側面に配置されていることを特徴とする請求項２記載の撮像装置。  
【請求項４】
前記撮像装置の外装部材は、金属もしくは導電樹脂で構成されているか、又は、該外装部材の内側に導電材料が塗布されていることを特徴とする請求項１乃至３のいずれか一に記載の撮像装置。
【発明の詳細な説明】
【技術分野】
【０００１】
本発明は撮像装置に係り、特に、ストロボ装置に電力を供給するメインコンデンサを備えた撮像装置に関する。
【背景技術】
【０００２】
近年、デジタルスチルカメラやビデオカメラ等の撮像装置の高機能化が進み、搭載される部品数が増加し、撮像装置の内部構造は複雑化している。内蔵ストロボを有する撮像装置においては、ストロボの高性能化に伴い、大容量のメインコンデンサを搭載する必要が出てきている。
【０００３】
このため、体積の大きいメインコンデンサを効率的に配置しないと、撮像装置の大型化を招くことになる。また、メインコンデンサに蓄積された電荷は、カメラの分解時において、感電や電気回路の破壊の原因になり得る。このため、撮像装置は、電荷を放電させやすい構造をとる必要がある。
【０００４】
ここで、特開２００４−２０６０９号公報（特許文献１）には、メインコンデンサを複数に分割し、外装の形状にそって段差をつけて配置する構成が開示されている。
【０００５】
また、特開２００１−２４２５１２号公報（特許文献２）には、メインコンデンサを実装したプリント基板に放電用導電領域を設け、外装部材を外すと放電用導電領域が現れる構成が開示されている。
【特許文献１】特開２００４−２０６０９号公報
【特許文献２】特開２００１−２４２５１２号公報
【発明の開示】
【発明が解決しようとする課題】
【０００６】
しかしながら、特開２００４−２０６０９号公報（特許文献１）の構成では、カメラの外装部材とメインコンデンサの端子部が近接している。このため、外装部材に圧力がかかって撓んで変形した場合、コンデンサの端子部分と外装部材とが接触し、外装部材の材質によってはショートしてしまう怖れがある。
【０００７】
また、特開２００１−２４２５１２号公報（特許文献２）の構成では、放電用導電領域と外装部材の間に絶縁部材が配置され、絶縁部材上に開閉自在に形成された放電具挿入用の開口部が設けられている。このため、このような構成では、レイアウトの自由度や製品コストの点から不利である。
【０００８】
そこで、本発明は、内蔵ストロボ用のメインコンデンサの信頼性を向上させた撮像装置を提供する。
【課題を解決するための手段】
【０００９】
本発明の一側面としての撮像装置は、被写体の光学像を電気信号に変換する撮像素子を備えた撮像ユニットと、メインミラーを収納し、撮像素子取付け部により前記撮像ユニットに取り付けられたミラーボックスと、前記ミラーボックスに固定され、レンズの着脱が可能なマウント部と、ストロボ基板に実装され、ストロボ装置を発光させるために用いられるメインコンデンサとを有し、前記メインコンデンサは、前記撮像素子取付け部と前記マウント部との間に配置され、前記メインコンデンサの２対の端子部は、前記ストロボ基板に実装され、前記２対の端子部の少なくとも一つは、前記マウント部における突出部の背後に配置されている。
【００１０】
本発明のその他の目的及び特徴は、以下の実施例において説明される。
【発明の効果】
【００１１】
本発明によれば、内蔵ストロボ用のメインコンデンサの信頼性を向上させた撮像装置を提供することができる。
【発明を実施するための最良の形態】
【００１２】
以下、本発明の実施例について、図面を参照しながら詳細に説明する。
（撮像装置の電気的構成）
まず、本実施例における撮像装置の電気的構成を説明する。図１は、本実施例における撮像装置の主要な電気的構成を示すブロック図である。本図は、具体的には、撮像装置としてデジタル一眼レフカメラの構成を示したものである。なお、後述の図２乃至図７と共通する部分には、図１と同一の符号が付されている。
【００１３】
１００はマイクロコンピュータ（以下、「ＭＰＵ」という。）である。マイクロコンピュータ１００は、カメラ本体１ａに内蔵され、カメラ１の中央処理装置として動作する。ＭＰＵ１００は、カメラ１の動作制御を司るものであり、カメラ１の各要素に対して様々な処理や指示を実行する。
【００１４】
１００ａはＥＥＰＲＯＭである。ＥＥＰＲＯＭ１００ａは、ＭＰＵ１００に内蔵された記憶装置として動作する。本実施例では、ＥＥＰＲＯＭ１００ａは、時刻計測回路１０９の計時情報やその他の情報を記憶することができる。
【００１５】
ＭＰＵ１００には、ミラー駆動回路１０１、焦点検出回路１０２、シャッタ駆動回路１０３、映像信号処理回路１０４、スイッチセンス回路１０５、測光回路１０６、及び、ストロボ駆動回路１１３が接続されている。ストロボ駆動回路１１３は、ストロボユニット５０４（ストロボ装置）の動作を制御する。
【００１６】
また、ＭＰＵ１００には、液晶表示駆動回路１０７、バッテリチェック回路１０８、時刻計測回路１０９、電源供給回路１１０、圧電素子駆動回路１１１が接続されている。これらの回路は、ＭＰＵ１００に制御されることにより動作する。
【００１７】
ＭＰＵ１００は、撮影レンズユニット２００ａ内のレンズ制御回路２０１との間で、マウント接点５０７を介して通信を行う。マウント接点５０７は、撮影レンズユニット２００ａがカメラ本体１ａに接続されると、ＭＰＵ１００へ信号を送信する機能をも有する。これにより、レンズ制御回路２０１は、ＭＰＵ１００との間で通信を開始し、ＡＦ駆動回路２０２及び絞り駆動回路２０３を介して、撮影レンズユニット２００ａ内の撮影レンズ２００及び絞り２０４の駆動を行う。なお、図１では便宜上１枚の撮影レンズ２００のみを示しているが、実際には撮影レンズ２００は多数のレンズ群によって構成される。
【００１８】
ＡＦ駆動回路２０２は、例えば、ステッピングモータによって構成される。ＡＦ駆動回路２０２は、レンズ制御回路２０１の制御により撮影レンズ２００内のフォーカスレンズの位置を変化させ、撮像素子３３に撮影光束の焦点を合わせるように調整する。
【００１９】
絞り駆動回路２０３は、例えば、オートアイリス等によって構成される。絞り駆動回路２０３は、レンズ制御回路２０１の制御により絞り２０４を変化させ、光学的な絞り値を得る。
【００２０】
５１２はメインミラーである。メインミラー５１２は、図１に示される撮影光軸５０に対して４５°の角度に保持された状態で、撮影レンズ２００を通過する撮影光束をペンタダハミラー２２へ導く。また、メインミラー５１２は、撮影レンズ２００を通過する撮影光束の一部を透過させて、サブミラー３０へ導く。サブミラー３０は、メインミラー５１２を透過した撮影光束を焦点検出センサユニット３１へ導く。
【００２１】
ミラー駆動回路１０１はメインミラー５１２を駆動するものであり、例えば、ＤＣモータとギヤトレイン等によって構成される。ミラー駆動回路１０１は、ファインダにより被写体像を観察可能とする位置、及び、撮影光束から待避する位置の間において、メインミラー５１２を移動させる。ミラー駆動回路１０１によりメインミラー５１２が駆動されると、同時に、サブミラー３０も焦点検出センサユニット３１へ撮影光束を導く位置、及び、撮影光束から待避する位置の間を移動する。
【００２２】
焦点検出センサユニット３１は、不図示の結像面近傍に配置されたフィールドレンズ、反射ミラー、２次結像レンズ、絞り、及び、複数のＣＣＤからなるラインセンサ等によって構成され、位相差方式の焦点検出を行う。焦点検出センサユニット３１から出力される信号は、焦点検出回路１０２へ供給される。焦点検出回路１０２に供給された信号は、焦点検出回路１０２にて被写体像信号に換算され、ＭＰＵ１００に送信される。
【００２３】
ＭＰＵ１００は、被写体像信号に基づいて、位相差検出法による焦点検出演算を行う。また、ＭＰＵ１００は、デフォーカス量及びデフォーカス方向を求め、これらに基づいて、レンズ制御回路２０１及びＡＦ駆動回路２０２を介して撮影レンズ２００内のフォーカスレンズを合焦位置まで駆動する。
【００２４】
ペンタダハミラー２２は、メインミラー５１２により反射された撮影光束を正立正像に変換反射する。撮影者は、ファインダ光学系１８を介して、ファインダ接眼窓５２０から被写体像を観察することができる。ペンタダハミラー２２は、撮影光束の一部を測光センサ４６へも導く。測光回路１０６は、測光センサ４６からの出力信号を得て、その出力信号を観察面上の各エリアにおける輝度信号に変換し、ＭＰＵ１００に出力する。ＭＰＵ１００は、輝度信号に基づいて露出値を算出する。
【００２５】
撮影者がファインダにより被写体像を観察しているとき、シャッタユニット３２（機械フォーカルプレーンシャッタ）のシャッタ先幕は遮光位置にあり、また、シャッタユニット３２のシャッタ後幕は露光位置にある。次に、撮影時には、シャッタ先幕が遮光位置から露光位置へ移動する露光走行を行って被写体からの光を通過させ、撮像素子３３にて撮像を行う。所望のシャッタ秒時経過後、シャッタ後幕は露光位置から遮光位置へ移動する遮光走行を行って撮影を完了する。シャッタユニット３２は、ＭＰＵ１００の指令を受けたシャッタ駆動回路１０３により駆動制御される。
【００２６】
撮像ユニット４００は、光学ローパスフィルタ４１０、光学ローパスフィルタ保持部材４２０、圧電部材である圧電素子４３０、及び、撮像素子３３を備え、これらがユニット化されて構成される。撮像素子３３は、被写体の光学像を電気信号に変換（光電変換）するものである。本実施例では、撮像素子３３としてＣＭＯＳセンサが用いられている。ただし、これに代えて、ＣＣＤ等の他の形態の撮像デバイスを採用することもできる。
【００２７】
撮像素子３３の前方に配置された光学ローパスフィルタ４１０は、水晶からなる１枚の複屈折板であり、その形状は矩形状である。圧電素子４３０は、単板の圧電素子（ピエゾ素子）である。圧電素子４３０は、ＭＰＵ１００の指示を受けた圧電素子駆動回路１１１により加振され、その振動を光学ローパスフィルタ４１０に伝えるように構成されている。
【００２８】
クランプ／ＣＤＳ（相関二重サンプリング）回路３４は、Ａ／Ｄ変換を実行する前の基本的なアナログ処理を行う。また、クランプ／ＣＤＳ回路３４は、クランプレベルを変更することも可能である。ＡＧＣ３５（自動利得調整装置）は、Ａ／Ｄ変換を実行する前の基本的なアナログ処理を行う。また、ＡＧＣ３５は、ＡＧＣ基本レベルを変更することも可能である。Ａ／Ｄ変換器３６は、撮像素子３３から出力されたアナログ信号をデジタル信号に変換する。
【００２９】
映像信号処理回路１０４は、デジタル化された画像データに対してガンマ／ニー処理、フィルタ処理、及び、モニタ表示用の情報合成処理等、ハードウエアによる画像処理全般を実行する。映像信号処理回路１０４からのモニタ表示用の画像データは、カラー液晶駆動回路１１２を介してカラー液晶モニタ５２９（液晶表示装置）に表示される。
【００３０】
また、映像信号処理回路１０４は、ＭＰＵ１００の指示に従い、メモリコントローラ３８を通じて、バッファメモリ３７に画像データを保存することができる。さらに、映像信号処理回路１０４は、ＪＰＥＧ等の画像データ圧縮処理を行うこともできる。
【００３１】
連写撮影等、連続して撮影が行われる場合、映像信号処理回路１０４は、一旦バッファメモリ３７に画像データを格納し、メモリコントローラ３８を通じて未処理の画像データを順次読み出すことができる。これにより、映像信号処理回路１０４は、Ａ／Ｄ変換器３６から入力される画像データの速度に関わらず、画像処理や圧縮処理を順次行うことができる。
【００３２】
メモリコントローラ３８は、外部インタフェース４０から入力される画像データを外部メモリ３９に記憶し、外部メモリ３９に記憶されている画像データを外部インタフェース４０から出力する機能を有する。なお、外部インタフェース４０は、図４におけるビデオ信号出力用ジャック８４１、リモート操作用ジャック８４２、及び、ＵＳＢコネクタ８０１に相当する。外部メモリ３９としては、カメラ本体１ａに着脱可能なフラッシュメモリ等が用いられる。
【００３３】
スイッチセンス回路１０５は、各スイッチの操作状態に応じて、入力信号をＭＰＵ１００に送信する。スイッチＳＷ１（５１０ａ）は、レリーズボタン５１０の第１ストローク（半押し）によりＯＮする。スイッチＳＷ２（５１０ｂ）は、レリーズボタン５１０の第２ストローク（全押し）によりＯＮする。スイッチＳＷ２（５１０ｂ）がＯＮされると、撮影開始の指示がＭＰＵ１００に送信される。また、スイッチセンス回路１０５には、メイン操作ダイヤル５０３、撮影モード設定ダイヤル５０２、及び、電源スイッチ５０１が接続されている。
【００３４】
液晶表示駆動回路１０７は、ＭＰＵ１００の指示に従って、ファインダ内液晶表示器４１を駆動する。
【００３５】
バッテリチェック回路１０８は、ＭＰＵ１００の指示に従って、バッテリチェックを行い、その検出結果をＭＰＵ１００に送信する。電源４２は、ＭＰＵ１００等のカメラ１の各要素に対して電源を供給する。
【００３６】
時刻計測回路１０９は、電源スイッチ５０１がＯＦＦされて次にＯＮされるまでの時間や日付を計測し、ＭＰＵ１００からの指示に従って、計測結果をＭＰＵ１００に送信する。
（撮像装置の外観構成）
次に、本実施例における撮像装置の外観構成について説明する。
【００３７】
図２及び図３は、本実施例における撮像装置（デジタル一眼レフカメラ）の外観図である。図２は、撮像装置（カメラ）前面側より見た斜視図であり、撮影レンズユニットを外した状態を示している。図３は、撮像装置（カメラ）を撮影者側（背面側）から見た斜視図である。
【００３８】
図２において、１ａはカメラ本体である。カメラ本体１ａには、使用者が撮影時にカメラ１ａを安定して握り易いように、前方に突出したグリップ５１３が設けられている。５０１はカメラ１の電源スイッチである。電源スイッチ５０１が操作されることにより、カメラ１は起動又は停止する。
【００３９】
５１１はカメラ本体１ａの内部（カメラ筐体内）に配置されたミラーボックスである。ミラーボックス５１１には、撮影レンズを通過した撮影光束が導かれる。ミラーボックス５１１の内部には、メインミラー５１２が収納されている。メインミラー５１２は、撮影光束をペンタダハミラー２２（図１参照）の方向へ導くため、撮影光束中において撮影光軸に対して４５°の角度に保持される第１の状態をとる。また、メインミラー５１２は、撮影光束を撮像素子３３（図１参照）の方向へ導くため、撮影光束から退避した位置に保持される第２の状態をとる。メインミラー５１２は、ミラー駆動回路１０１（図１参照）により駆動されることにより、第１の状態又は第２の状態のいずれかをとるように移動する。
【００４０】
また、カメラ本体１ａの上部中央には、カメラ本体１ａに対してポップアップするカメラ内蔵型のストロボユニット５０４（ストロボ装置）が設けられている。カメラ内蔵型のストロボユニット５０４は、被写体に照明光を照射する。
【００４１】
カメラ本体１ａの上部の前面から見て左寄り（背面から見て右寄り）には、撮影者がカメラ１の撮影モードを設定するための撮影モード設定ダイヤル５０２が設けられている。撮影モード設定ダイヤル５０２により、撮影シーンに合わせたオート撮影モード、及び、シャッタスピードやレンズ絞り値の各々を撮影者の意志により設定するマニュアル撮影モードなどを選択することが可能である。また、メイン操作ダイヤル５０３の操作によって、撮影時の動作モードに応じてシャッタスピードやレンズ絞り値を設定することが可能となる。
【００４２】
５０５ａ及び５０５ｂは、カメラ本体１ａへストラップを取り付けるためのストラップ取り付け部材である。ストラップ取り付け部材５０５ａ、５０５ｂは、略中央部に設けられた穴にストラップ紐がかけられるように構成されている。
【００４３】
５０８はマウント部である。マウント部５０８は、着脱可能な撮影レンズユニット（不図示）をカメラ本体１ａに固定させる。５０６はレンズロック解除釦である。レンズロック解除釦５０６を押し込むことにより、撮影レンズユニットをカメラ本体１ａから取り外すことができる。
【００４４】
５０７はマウント接点である。マウント接点５０７は、カメラ本体１ａと撮影レンズユニットとの間で制御信号、状態信号、及び、データ信号などの通信を行う。また、マウント接点５０７は、撮影レンズユニットに電力を供給する機能をも有する。このため、撮影レンズユニットは、独自の電源を必要としないで動作することができる。また、マウント接点５０７は、電気通信のみならず、光通信などを行うことができるように構成してもよい。
【００４５】
カメラのグリップ５１３の上部側には、撮影開始の起動スイッチとしてのレリーズボタン５１０が配置されている。レリーズボタン５１０は、第１ストロークによってスイッチＳＷ１（５１０ａ）がＯＮし、撮影準備動作（焦点調節動作及び測光動作）が開始される。また、レリーズボタン５１０は、第２ストロークによってスイッチＳＷ２（５１０ｂ）がＯＮし、撮影動作が開始される。
【００４６】
５０９は、カメラ１にて撮影した撮影画像を記録する外部メモリ（不図示）を収納するための収納口である。
【００４７】
図３に示すように、カメラ本体１ａの背面側には、上方にファインダ接眼窓５２０、カメラ１の撮影前情報や設定内容、及び、撮影した画像などを表示可能なカラー液晶モニタ５２９が設けられている。
【００４８】
カメラ本体１ａの背面側には、ＡＦフレーム選択ボタン５２２、ＡＥロックボタン５２３、撮影した画像の再生等の操作を行う再生ボタン５２６、及び、撮影した画像の消去等の操作を行う消去ボタン５２４が配置されている。また、カメラ本体１ａの背面側には、撮影した画像の印刷等の操作を行うイージーダイレクトボタン５２７、露出補正設定ボタン５２８、及び、メニュー画面の呼び出し等の操作を行うＭＥＮＵボタン５３０が配置されている。さらに、カラー液晶モニタ５２９の表示／非表示の切替等の操作を行うＤＩＳＰボタン５３１、及び、各種設定時に決定を行うための選択決定ボタン５２５なども、カメラ本体１ａの背面側に配置されている。
【００４９】
また、カメラ本体１ａの上部の背面から見て右側には、撮影者が撮影時のＩＳＯ感度設定を選択可能なモードへ移行するためのＩＳＯ感度設定ボタン５２１が設けられている。
【００５０】
カメラ本体１ａのグリップ５１３側とは反対側の側面には、外部インタフェースとして、ビデオ信号出力用ジャック８４１とリモート操作用ジャック８４２、及び、ＵＳＢコネクタ８０１が納められている（図６参照）。
【００５１】
また、カメラ１の外装部材５１４は、金属又は導電樹脂で構成されている。ただし、これに代えて、外装部材５１４の内側に導電材料を塗布した構成を採用してもよい。
（撮像装置の内部構成）
次に、本実施例における撮像装置の内部構成について説明する。
【００５２】
図４乃至図７は、本実施例における撮像装置（カメラ）の内部構成を示す斜視図である。図４及び図５は、それぞれ、カメラの前面側及び背面側から見た斜視図である。また、図６及び図７は、それぞれ、カメラの前面側及び背面から見た分解斜視図である。
【００５３】
カメラ本体１ａの骨格となる本体シャーシ３００の被写体側（前面側）には、被写体側から順に、マウント部５０８、ミラーボックス５１１、及び、シャッタユニット３２が配設されている。ミラーボックス５１１の上部には、ファインダーユニット６００が配設されている。ファインダーユニット６００は、ペンタダハミラー２２を含み、撮影者に被写体像を提供する。
【００５４】
本体シャーシ３００の撮影者側（背面側）には、撮像ユニット４００、第１のデジタル基板８００、及び、インタフェース基板８４０が配設されている。撮像ユニット４００は、撮影レンズユニットが取り付けられる基準となるミラーボックス５１１の撮像素子取付け部５１１ａに固定されている。このとき、撮像ユニット４００は、撮像素子３３の撮像面がマウント部５０８から所定の距離だけ離れ、かつ、マウント部５０８と平行になるように調整されている。
【００５５】
撮像ユニット４００の背面には、Ａ／Ｄ変換基板８３０が配設されている。Ａ／Ｄ変換基板８３０には、例えば、Ａ／Ｄ変換器３６が配設されている。Ａ／Ｄ変換器３６は、撮像素子３３から出力されたアナログ信号をデジタル信号に変換する。
【００５６】
カメラ本体１ａの前面から見て、ミラーボックス５１１の右側には、シャッタユニット３２の一部である駆動部３２ａが配設されている。駆動部３２ａは、シャッタユニット３２の駆動、メインミラー５１２及びサブミラー３０の駆動、及び、ストロボユニット５０４の駆動を行う。
【００５７】
また、ミラーボックス５１１の左側には、電池室７００が配設されている。電池室７００には、カメラ１の電源となる電池が収納される。
【００５８】
電池室７００の被写体側（前面側）、すなわち電池室７００のマウント部５０８近傍には、電源基板８１０（ストロボ基板）が配設されている。
【００５９】
電源基板８１０は、電池室７００の一方側（被写体側）に配置され、電池に接続される電池端子８１２、及び、電池から所定の電源電圧を生成する電源供給回路１１０（ＤＣ／ＤＣ変換回路）を有する。
【００６０】
また、電池室７００の撮影者側（背面側）には、第２のデジタル基板８２０が配設されている。第２のデジタル基板８２０は、電池室７００と第１のデジタル基板８００との間に配置されている。第２のデジタル基板８２０には、外部メモリ３９を挿入するためのスロット８２１が搭載されている。
【００６１】
第２のデジタル基板８２０のさらに撮影者側（背面側）には、第１のデジタル基板８００が配設されている。第１のデジタル基板８００は、電池室７００の一方側（被写体側）とは反対の他方側（撮影者側）に配置され、第１のデジタル基板８００には、電源供給回路１１０から電源電圧が入力されるＭＰＵ１００が設けられている。
【００６２】
このように、本実施例の撮像装置は、第１のデジタル基板８００と電池室７００との間に第２のデジタル基板８２０が配設される構成となっている。
【００６３】
本体シャーシ３００は、クランク状の折り曲げ部３００ａを有する。この折り曲げ部３００ａの付近において、電池室７００は本体シャーシ３００に取り付けられている。
【００６４】
電源基板８１０の上には、電池端子８１２、電源供給回路１１０、及び、ストロボ駆動回路１１３が配設されている。このように、電池端子８１２、電源供給回路１１０、及び、ストロボ駆動回路１１３は、同一基板上に配設されていることになる。これらが同一基板上に配設されていることにより、配線長の長さを抑えることができ、電力の損失を抑制することができる。
【００６５】
また、電源基板８１０には、ストロボ駆動回路１１３の一部であるメインコンデンサ８１１が配設されている。メインコンデンサ８１１は、ミラーボックス５１１と電池室７００との間に位置するように、電源基板８１０（ストロボ基板）に実装されている。メインコンデンサ８１１は、ストロボユニット５０４（ストロボ装置）を発光させるために用いられる。
【００６６】
第２のデジタル基板８２０には、外部メモリ３９を利用するためのスロット８２１や圧電素子駆動回路１１１などの電源供給回路１１０からのノイズによる悪影響が少ない回路が配設されている。また、第２のデジタル基板８２０の複数の電子部品は、全て、電池室７００とは反対側（撮影者側）の面に実装されている。複数の電子部品と電池室７００の間に第２のデジタル基板８２０の配線層が介在している。このように、本実施例では、第２のデジタル基板８２０には、複数の電子部品が実装されており、これら全ての電子部品は、電池室７００とは反対側（撮影者側）の面に実装されている。
【００６７】
第１のデジタル基板８００は略Ｌ字形状であり、ＭＰＵ１００、映像信号処理回路１０４、及び、カラー液晶駆動回路１１２などが配設されている。上述のとおり、本実施例の撮像装置は、カラー液晶モニタ５２９を有しており、第１のデジタル基板８００に設けられた映像信号処理回路１０４は、カラー液晶モニタ５２９に表示される画像データを生成する。
【００６８】
また、グリップ５１３と反対側の端部には、ＵＳＢコネクタ８０１が配設されている。このような構成によれば、ＵＳＢコネクタ８０１と同一基板上にあるＭＰＵ１００との間で高速な通信を行うことが可能である。
【００６９】
インタフェース基板８４０には、ビデオ信号出力用ジャック８４１及びリモート操作用ジャック８４２が配設されている。
（メインコンデンサ）
次に、図８及び図９を参照して、メインコンデンサ８１１の構成について説明する。図８は、本実施例におけるメインコンデンサの配置を示したものである。また、図９は、メインコンデンサの端子部の配置を示している。
【００７０】
図８に示されるように、メインコンデンサ８１１は、ミラーボックス５１１の撮像素子取付け部５１１ａとマウント部５０８との間に配置されている。また、メインコンデンサ８１１は、ミラーボックス５１１と電池を収納するための電池室７００との間に配置されている。
【００７１】
メインコンデンサ８１１は、メインコンデンサ８１１の上部から延びた、正極及び負極の端子となる２対の端子部８１１ａ、８１１ｂを有する。メインコンデンサ８１１の２対の端子部８１１ａ、８１１ｂは、カメラ１の被写体側に折り曲げられ、電源基板８１０（ストロボ基板）に接続される。このようにして、メインコンデンサ８１１は、電源基板８１０に実装されている。
【００７２】
メインミラーを収納するミラーボックス５１１は、撮像素子取付け部５１１ａを有する。ミラーボックス５１１は、撮像素子取付け部５１１ａにより撮像ユニット４００に取り付けられる。
【００７３】
マウント部５０８は、レンズの着脱が可能なように、被写体側から見て円形状に構成されている。また、マウント部５０８は、その背後において、直方体状のミラーボックス５１１に固定されている。このため、マウント部５０８は、ミラーボックス５１１から突出した突出部５０８ａを有する。突出部５０８ａは、被写体側から見て、マウント部５０８の左側の部分に相当する。
【００７４】
図９に示されるように、マウント部５０８の近傍における電池室７００の側面には、電源基板８１０（ストロボ基板）が配置されている。すなわち、電源基板８１０は、電池室７００の被写体側の面に配置されている。電源基板８１０には、電池に接続される電池端子８１２及び電源供給回路１１０を含む電源回路が設けられている。
【００７５】
メインコンデンサ８１１の端子部８１１ｂは、マウント部５０８における突出部５０８ａの背後に配置されている。すなわち、マウント部５０８の方向（被写体側）からメインコンデンサ８１１を見たとき、端子部８１１ｂは、マウント部５０８に重なるように配置されている。この状態を表すため、図９において、端子部８１１ｂは点線で示されている。
【００７６】
このように、本実施例では、メインコンデンサ８１１の２対の端子部８１１ａ、８１１ｂの少なくとも一つは、マウント部５０８における突出部５０８ａの背後に配置される。また、外装部材５１４は図２に図示するように、マウント部５０８からグリップ５１３の根元にかけて滑らかな曲面をもって構成されている。従って、突出部５０８ａ近傍の外装部材５１４と電源基板８１０の間には空間が存在する。このため、カメラ１の外装部材５１４に把持等により圧力がかかって多少撓んだ場合でも、メインコンデンサ８１１の端子部８１１ａ、８１１ｂと外装部材５１４との接触を防ぐことができる。この結果、メインコンデンサ８１１と外装部材５１４とが短絡することが防止できる。
【００７７】
以上のとおり、本実施例の撮像装置によれば、内蔵ストロボ用のメインコンデンサの信頼性を向上させた撮像装置を提供することができる。
【００７８】
特に、本実施例では、メインコンデンサを撮像装置内に効率的に配置できるため、撮像装置の小型化が可能である。また、マウント部にメインコンデンサの端子部が隠れるため、端子部がショートすることを防止できる。
【００７９】
また、本実施例では、メインコンデンサは電池の近傍に配置されている。このため、コンデンサに電荷を蓄積する際の損失を抑制することができる。
【００８０】
また、本実施例では、電池端子と電源回路の両方が電源基板に実装されている。このため、電気的な損失を抑えることが可能である。また、電源基板を電池室のマウント側の側面に配置することにより、外装部材を外した状態で、容易に電源基板上のメインコンデンサ端子部から放電を行うことができる。また、導電性の外装部材を使用することにより、撮像装置の動作に関して電磁波の影響を軽減することが可能である。
【００８１】
以上、本発明の実施例について具体的に説明した。ただし、本発明は上記実施例にて説明した事項に限定されるものではなく、その技術思想を逸脱しない範囲内で適宜変更が可能である。
【図面の簡単な説明】
【００８２】
【図１】本実施例における撮像装置の主要な電気的構成を示すブロック図である。
【図２】本実施例における撮像装置を前面側より見た外観斜視図である。
【図３】本実施例における撮像装置を背面側より見た外観斜視図である。
【図４】本実施例における撮像装置の前面側より見た内部構成斜視図である。
【図５】本実施例における撮像装置の背面側より見た内部構成斜視図である。
【図６】本実施例における撮像装置の前面側より見た分解斜視図である。
【図７】本実施例における撮像装置の背面側より見た分解斜視図である。
【図８】本実施例におけるメインコンデンサの配置を示す図である。
【図９】本実施例におけるメインコンデンサの端子部の配置を示す図である。
【符号の説明】
【００８３】
１：カメラ、１ａ：カメラ本体、２２：ペンタダハミラー、３０：サブミラー、３１：焦点検出センサユニット、３２：機械フォーカルプレーンシャッタ、３３：撮像素子、３４：クランプ／ＣＤＳ（相関二重サンプリング）回路、３５：ＡＧＣ回路（自動利得調整装置）、３６：Ａ／Ｄ変換器、３７：バッファメモリ、３８：メモリコントローラ、３９：外部メモリ、４０：外部インタフェース、４１：ファインダ内液晶表示器、４２：電源、４３：メインスイッチ、４６：測光センサ、１００：ＭＰＵ、１００ａ：ＥＥＰＲＯＭ、１０１：ミラー駆動回路、１０２：焦点検出回路、１０３：シャッタ駆動回路、１０４：映像信号処理回路、１０５：スイッチセンス回路、１０６：測光回路、１０７：液晶表示駆動回路、１０８：バッテリチェック回路、１０９：時刻計測回路、１１０：電源供給回路、１１１：圧電素子駆動回路、１１２：カラー液晶駆動回路、１１３：ストロボ駆動回路、２００：撮影レンズ、２００ａ：撮影レンズユニット、２０１：レンズ制御回路、２０２：ＡＦ駆動部、２０３：絞り駆動部、２０４：絞り、３００：本体シャーシ、４００：撮像ユニット、４１０：光学ローパスフィルタ、４２０：光学ローパスフィルタ保持部材、４３０：圧電素子、５０１：電源スイッチ、５０２：撮影モード設定ダイヤル、５０３：メイン操作ダイヤル、５０４：ストロボユニット、５０５ａ，５０５ｂ：ストラップ取り付け部、５０６：レンズロック解除ボタン、５０７：マウント接点、５０８：マウント部、５０８ａ：突出部、５０９：外部メモリ収容蓋、５１０：レリーズボタン、５１１：ミラーボックス、５１２：メインミラー、５１３：グリップ、５１４：外装部材、５２０：ファインダ接眼窓、５２１：ＩＳＯ感度設定ボタン、５２２：ＡＦフレーム選択ボタン、５２３：ＡＥロックボタン、５２４：消去ボタン、５２５：決定ボタン、５２６：再生ボタン、５２７：イージーダイレクトボタン、５２８：露出補正設定ボタン、５２９：カラー液晶モニタ、５３０：ＭＥＮＵボタン、５３１：ＤＩＳＰボタン、７００：電池室、７０１：金属プレート、８００：第１のデジタル基板、８０１：ＵＳＢコネクタ、８１０：電源基板、８１１：メインコンデンサ、８１２：電池端子、８２０：第２のデジタル基板、８２１：スロット、８４１：ビデオ信号出力用ジャック、８４２：リモート操作用ジャック
【図１】
2009175313.tif 000003
【図２】
2009175313.tif 000004
【図３】
2009175313.tif 000005
【図４】
2009175313.tif 000006
【図５】
2009175313.tif 000007
【図６】
2009175313.tif 000008
【図７】
2009175313.tif 000009
【図８】
2009175313.tif 000010
【図９】
2009175313.tif 000011